(57)【要約】【課題】オーダーに迅速に対処し、省電力になり、さらに、装置の寿命を延ばすことが可能な医用情報処理装置及び自動起動装置を提供する。【解決手段】実施形態の医用情報処理装置は、診断装置、治療装置または医用室設備の各装置とネットワークを介して接続され、記憶部を有する。記憶部は、検査種別および検査部位の情報を含むオーダー情報の種類と各装置との対応関係を予め記憶する。ネットワークを介してオーダー情報を受けたとき、対応関係を参照して、各装置を求め、求めた各装置に起動用の制御信号を送る。【選択図】図１
2015156069.tif 000002
【特許請求の範囲】
【請求項１】
診断装置、治療装置または医用室設備の各装置とネットワークを介して接続された医用情報処理装置において、
検査種別および検査部位の情報を含むオーダー情報の種類と前記各装置との対応関係を予め記憶する記憶部を有し、
前記ネットワークを介して前記オーダー情報を受けたとき、前記対応関係を参照して、前記各装置を求め、求めた前記各装置に起動用の制御信号を送ることを特徴とする医用情報処理装置。
【請求項２】
ネットワークに接続され、電源と、電源制御部と、前記ネットワーク上で自己を識別するための固有の識別情報と、を有する診断装置、治療装置または医用室設備の各装置を起動させる自動起動装置において、
検査種別および検査部位の情報を含むオーダー情報の種類と前記識別情報との対応関係を予め記憶する記憶部と、
前記オーダー情報を受けたとき、前記対応関係を参照して、前記オーダー情報と対応付けられた前記識別情報を含む制御情報を作成し、前記制御情報を前記ネットワークに送信する管理手段と、
を有し、
前記電源制御部は、前記ネットワークに送信された前記制御情報に含まれた前記識別情報が自己の識別情報であるとき、前記自己の装置の前記電源をオンするように制御することを特徴とする自動起動装置。
【請求項３】
前記オーダー情報は、さらに、前記装置を使用するときの緊急度、前記装置を使用するときの予約日時、および、前記装置を当日最初に使用するときの時間を含む時間情報を有し、
前記記憶部は、前記時間情報と前記識別情報との対応関係を予め記憶することを特徴とする請求項２に記載の自動起動装置。
【請求項４】
前記識別情報は、前記ネットワーク上で自己を識別するための固有の物理アドレスとしてのＭＡＣアドレスであることを特徴する請求項２または３に記載の自動起動装置。
【発明の詳細な説明】
【技術分野】
【０００１】
本発明の実施形態は、医用情報処理装置および自動起動装置に関する。
【背景技術】
【０００２】
従来技術において、医療機器等の電源を制御する手段として、例えば、日付別、曜日別に病院の業務スケジュールに合わせた医療機器等の起動や終了、および、バックアップ、データ送受信の開始と終了を制御するものがある（例えば、特許文献１）。
【０００３】
また、従来技術では、電源の制御は、スケジュールに合わせて行われるため、休日や夜間に急患のオーダーが入ったとき、例えば、急患の対処時、当直職員が当直室から撮影室に到着しても、診断装置が撮影可能な状態でなく、手動での電源投入やスタンバイ（省電力モード）からの復旧が必要になり、急患への対処が遅れてしまう。
【０００４】
このように、医療施設内の各装置は、電源の制御の仕組みがありながら、急患に対処するために、常に電源を入れておく必要がある。
【先行技術文献】
【特許文献】
【０００５】
【特許文献１】特開２００２−１５９４４９号公報
【発明の概要】
【発明が解決しようとする課題】
【０００６】
しかし、常に電源を入れておくと、省電力にならず、装置の寿命を縮めてしまうという問題点があった。
また、医療施設内の各装置においては、オーダーに迅速に対処できるように、オーダーが入ったら即座に、それに関連する装置の電源をオンすること望ましい。以下の説明で、「電源をオンする」とは、電源の投入、および、スタンバイ（省電力モード）からの復旧をいうものとする。
【０００７】
この実施形態は、上記の問題を解決するものであり、オーダーに迅速に対処し、省電力になり、さらに、装置の寿命を延ばすことが可能な医用情報処理装置および自動起動装置を提供することを目的とする。
【課題を解決するための手段】
【０００８】
上記課題を解決するために、実施形態の医用情報処理装置は、診断装置、治療装置または医用室設備の各装置とネットワークを介して接続され、記憶部を有する。記憶部は、検査種別および検査部位の情報を含むオーダー情報の種類と各装置との対応関係を予め記憶する。ネットワークを介してオーダー情報を受けたとき、対応関係を参照して、各装置を求め、求めた各装置に起動用の制御信号を送る。
さらに、実施形態の自動起動装置は、ネットワークに接続され、電源と、電源制御部と、ネットワーク上で自己を識別するための固有の識別情報と、を有する診断装置、治療装置または医用室設備の各装置を起動させる。自動起動装置は、記憶部と、管理手段とを有する。記憶部は、検査種別および検査部位の情報を含むオーダー情報の種類と識別情報との対応関係を予め記憶する。管理手段は、オーダー情報を受けたとき、対応関係を参照して、オーダー情報と対応付けられた識別情報を含む制御情報を作成し、制御情報をネットワークに送信する。電源制御部は、ネットワークに送信された制御情報に含まれた識別情報が自己の識別情報であるとき、自己の装置の電源をオンするように制御する。
【図面の簡単な説明】
【０００９】
【図１】第１実施形態に係る自動起動装置の構成ブロック図。
【図２】オーダー情報の種類と識別情報との対応関係を表すテーブルの図。
【図３】ネットワークに接続された各装置の図。
【図４】オーダー情報の発行からパケット送信までの一連の動作を示すフローチャート。
【図５】第２実施形態に係るテーブルの図。
【発明を実施するための形態】
【００１０】
オーダーに対処するため、病院などの医療施設において、上記のように電源の制御が行われる装置としては、診断装置（撮影装置）、治療装置、医用室設備、および、コンピュータ装置が含まれる。以下、これらを単に「装置」という場合がある。
【００１１】
診断装置には、Ｘ線撮影装置、Ｘ線ＣＴ装置、ＭＲＩ装置、超音波診断装置、マンモグラフィ、核医学診断装置が含まれる。治療装置には、放射線治療装置や粒子線治療装置が含まれる。医用室設備には、環境制御部が含まれる。ここで、環境制御部の一例としては、パーソナルコンピュータであり、プログラム等を有し、プログラムをハードウェアで処理することにより、照明や空調（後述する）を制御することが可能なものである。
【００１２】
コンピュータ装置には、病院受付システム（Ｈｏｓｐｉｔａｌ  Ｉｎｆｏｒｍａｔｉｏｎ  Ｓｙｓｔｅｍ：ＨＩＳ）、放射線科受付システム（Ｒａｄｉｏｌｏｇｙ  Ｉｎｆｏｒｍａｔｉｏｎ  Ｓｙｓｔｅｍ：ＲＩＳ）、および、端末装置が含まれる。端末装置は、ＬＡＮやインターネットなどのコンピューターネットワークを通じてホストコンピューター（ＨＩＳ、ＲＩＳを含む）とのデータのやり取り、また、処理が可能である。端末装置の例としては、ＲＩＳ端末、検像端末、ビューア、および、ワークステーションがある。
【００１３】
オーダーに迅速に対処するためには、オーダーが入ったらそれに関連する装置の電源を自動的にオンするように構成すればよい。この構成を自動起動装置と称する。
【００１４】
このような自動起動装置は、ＲＩＳに設けられる。なお、自動起動装置は、ＨＩＳを含む医療施設内の各装置に設けられてもよい。
【００１５】
前者の例としては、次のように構成すればよい。（１）自動起動装置を医療施設内の各装置とともにネットワークに接続する。（２）自動起動装置は、オーダー情報の種類と装置との対応関係を予め記憶する。（３）自動起動装置は、対応関係を参照し、オーダー情報に対応する装置を特定した制御情報を作成し、制御情報を送信する。（４）各装置は、制御情報を受けたとき、その制御情報が自己に対するものであるかどうかを判断し、自己に対する制御情報であると判断したとき、自己の装置の電源をオンする。（５）なお、各装置は、ネットワーク上で自己を識別するための固有の識別情報を有する。この識別情報の一例には、ネットワーク上で自己を識別するための固有の物理アドレスとしてのＭＡＣアドレスがある。
【００１６】
後者の例としては、次のように構成すればよい。（１）自動起動装置を医療施設内の各装置とともにネットワークに接続する。（２）自動起動装置は、オーダー情報の種類と装置との対応関係を予め記憶する。（３）各装置の自動起動装置は、オーダー情報を受けたとき、そのオーダー情報と自己との対応関係の有無を判断し、対応関係が有ると判断したとき、自己の装置の電源をオンする。
【００１７】
前者については、第１実施形態で詳細に説明する。後者については、第２実施形態で詳細に説明する。
【００１８】
＜第１実施形態＞
自動起動装置の第１実施形態について各図を参照して説明する。
先ず、自動起動装置の基本的な構成について図１を参照して簡単に説明する。図１は、自動起動装置の構成ブロック図である。
【００１９】
図１に、ローカルエリアネットワーク（ＬＡＮ）に接続されたＨＩＳ１０、ＲＩＳ２０、コンピュータ端末３０、撮影装置４０、および、環境制御部８０を示す。ＲＩＳ２０には自動起動装置が設けられる。自動起動装置は、記憶部５０および管理手段６０を有する。また、図１に示すように、コンピュータ端末３０、撮影装置４０および環境制御部８０には電源制御部７０が設けられる。環境制御部８０は、照明装置や空調装置を制御するコンピュータである。
【００２０】
図３は、ネットワークに接続された各装置の図である。図３に、病院受付（ＨＩＳ）に設けられたＨＩＳ端末、ＲＩＳ端末IV、記憶部５０、管理手段６０を示す。
【００２１】
（記憶部５０）
記憶部５０は、オーダー情報（検査種別および検査部位の情報を含む）の種類と、識別情報（ＭＡＣアドレス）との対応関係を予め記憶する。
【００２２】
図２は、オーダー情報の種類と識別情報との対応関係を表すテーブルの図である。図２に、識別情報の一例として装置の名称を示す。なお、自動起動装置は、図示しないが、装置の名称とその装置のＭＡＣアドレスとの対応関係を表すテーブルを有する。
図２に、オーダー情報（一般撮影、胸部）と対応関係にある、撮影室Ｉ、撮影装置Ｉ、ＲＩＳ端末Ｉ、検像端末Ｉ、環境制御部Ｉ、ＲＩＳ端末Ｃ、環境制御部Ｃ、環境制御部Ａを示す。なお、撮影装置Ｉ〜環境制御部Ａには、電源制御部７０が設けられる。
【００２３】
さらに、図２に、オーダー情報（一般撮影（救急）、頭部）と対応関係にある、撮影室Ｉ、撮影装置Ｉ、ＲＩＳ端末Ｉ、検像端末Ｉ、環境制御部Ｉ、携帯Ｉを示す。なお、撮影装置Ｉ〜環境制御部Ｉには、電源制御部７０が設けられる。ここでの携帯Ｉは、携帯電話等の携帯端末のことをいう（以下の「携帯II」においても同様である）。
【００２４】
さらに、図２に、オーダー情報（ＣＴ（救急）、頭部）と対応関係にある、撮影室III、コンソールIII、ＲＩＳ端末III、環境制御部III、携帯IIを示す。なお、コンソールIII〜環境制御部IIIには、電源制御部７０が設けられる。
【００２５】
（管理手段６０）
管理手段６０は、オーダー情報を受けたとき、図２に示すテーブルを参照して、オーダー情報と対応づけられた識別情報を含む制御情報を作成する。制御情報の一例は、マジックパケットと称されるものである。マジックパケットは、ＦＦ：ＦＦ：ＦＦ：ＦＦ：ＦＦ：ＦＦに続けて装置のＭＡＣアドレスを１６回繰り返したデータ（１０２バイトの信号）が含まれるパケットである。
【００２６】
例えば、管理手段６０は、オーダー情報（一般撮影（救急）、頭部）を受けて、図２に示すテーブルを参照して、撮影装置ＩのＭＡＣアドレスを含む制御情報（マジックパケット）を作成する。同様に、管理手段６０は、テーブルを参照して、ＲＩＳ端末Ｉ、検像端末Ｉ、環境制御部Ｉについても、それらのＭＡＣアドレスを含む制御情報（マジックパケット）を作成する。管理手段６０は、作成した制御情報をブロードキャストフレームとしてネットワークに送信する。
【００２７】
（電源制御部７０）
次に、電源制御部７０について図２および図３を参照して説明する。図３に、撮影室Ｉに設けられた照明Ｉ、空調Ｉ、撮影装置Ｉ、環境制御部Ｉ、ＲＩＳ端末Ｉ、検像端末Ｉを示す。さらに、図３に、各装置がネットワークにより接続されていることを点線で示す。ここで、「ネットワークに接続された各装置」とは、撮影装置Ｉ、環境制御部Ｉ、ＲＩＳ端末Ｉ、検像端末Ｉをいう。なお、照明Ｉ、空調Ｉは、環境制御部Ｉに接続される。各装置の通信手段（例えば、ブリッジ）は、ネットワークアダプタに通電こそされているものの、マジックパケットを待ち受けることしかない状態である。そのため、マジックパケットは、ブリッジの全てのポートに送信される、ブロードキャストフレームとして送信される。
【００２８】
なお、電源制御部７０により制御されるまで、ネットワークに接続された各装置は、スタンバイ（省電力モード）になっているものとする。
【００２９】
各装置は、電源（図示しない）および電源制御部７０（図１参照）を有する。例えば、撮影装置Ｉの電源制御部７０は、ネットワーク上の制御情報（マジックパケット）を受けたとき、その信号を認識して、制御情報に含まれるＭＡＣアドレスが自己のアドレスであったとき、自己の装置の電源をオンするように制御する。同様に、環境制御部Ｉ、ＲＩＳ端末Ｉ、検像端末Ｉの各電源制御部７０は、制御情報に含まれるＭＡＣアドレスが自己のアドレスであったとき、自己の装置の電源をオンするように制御する。なお、環境制御部Ｉの電源がオンされることで、そこに接続された照明Ｉ、空調Ｉが制御される。
【００３０】
それにより、オーダー情報（一般撮影（救急）、頭部）に関連する全ての装置の電源が自動的にオンし、職員等が撮影室Ｉに到着したときには、図３に示す撮影室Ｉ内の関連する全ての装置が使用可能な状態となるため、オーダーに迅速に対処することができる。
【００３１】
（動作）
以上に、第１実施形態に係る構成を簡単に説明した。
次に、自動起動装置の動作について、図３および図４を参照して説明する。図４は、オーダー情報の発行からパケット送信までの一連の動作を示すフローチャートである。
【００３２】
（ＨＩＳオーダー発行：ステップＳ１）
病院受付に急患が到着し、ＨＩＳ端末から、検査種別が一般撮影（緊急）で、検査部位が頭部のオーダー情報が発行される。
【００３３】
（ＲＩＳオーダー受信：ステップＳ２）
オーダー情報は、ＲＩＳ端末IVで受信される。管理手段６０は、オーダー情報（一般撮影（緊急）、頭部）を読み取る。
【００３４】
（撮影室情報の取得：ステップＳ３）
管理手段６０は、図２に示すテーブルを参照して、オーダー情報と対応づけられた装置の識別情報（ＭＡＣアドレス）を取得する。例えば、図２に示す頭部、一般撮影（緊急）の例では、撮影室Ｉの撮影装置Ｉ、ＲＩＳ端末Ｉ、検像端末Ｉの識別情報を取得する。さらに、撮影室Ｉの環境制御部Ｉの識別情報を取得する。さらに、撮影室Ｉの救急用携帯（携帯端末）の情報を取得する。なお、放射線科受付および更衣室は使用しないので、それらの装置の識別情報は取得しない。
【００３５】
（起動管理情報取得：ステップＳ４）
管理手段６０は、取得した装置の識別情報を含む装置起動用の制御情報（マジックパケット）を作成する。制御情報（マジックパケット）を「起動管理情報」という場合がある。
【００３６】
（起動管理情報の有無：ステップＳ５）
自動起動装置の通信手段（図示しない）制御情報があるかどうかを判断する。
【００３７】
（パケット送信：ステップＳ６）
通信手段は、制御情報があると判断したとき（ステップＳ５：Ｙｅｓ）、制御情報（マジックパケット）をブロードキャストフレームとしてネットワークに送信する。
【００３８】
なお、制御情報（マジックパケット）は、所定回送信される。なお、管理手段６０は、識別情報に含まれる識別情報（ＭＡＣアドレス）に係る装置に直接的に送信してもよい。
【００３９】
なお、各装置の電源制御部７０は、制御情報（マジックパケット）を受信したとき、制御情報に自己の識別情報（ＭＡＣアドレス）が含まれているかどうかを判断する。識別情報が含まれていると判断したとき、電源制御部７０は、例えば、ウェイクオンラン（Ｗａｋｅ  Ｏｎ  ＬＡＮ）を用いて、自己の装置の電源をオン（または、スタンバイ状態から自動復旧）するように制御する。
【００４０】
ここで、撮影室Ｉでは、ＲＩＳ端末IVでの緊急オーダーの受信後、急患を受け入れる体制は次のようになる。撮影室Ｉの撮影装置Ｉ、ＲＩＳ端末Ｉ、検像端末Ｉが使用可能になる。さらに、撮影室Ｉの環境制御部Ｉの電源がオンし、プログラムがハードウェアにより処理されることで、撮影室Ｉの照明Ｉが点灯し、空調Ｉがオンになる。さらに、撮影室Ｉの担当職員の携帯端末（携帯Ｉ）が呼び出される。すなわち、管理手段６０は、オーダー情報を受けたとき、オーダー情報と対応づけられた装置の一つである発信機を制御し、携帯端末を呼び出す。
以上により、急患が撮影室Ｉに到着する頃には、撮影室Ｉでの緊急撮影および検像が可能になる。
【００４１】
＜変形例＞
なお、この実施形態では、オーダー情報として、検査種別および検査部位を示したが、これに限らない。例えば、オーダー情報として、装置を使用するときの緊急度、装置を使用するときの予約日時、および、装置を当日最初に使用するときの時間を含む時間情報であってもよい。
【００４２】
次に、オーダー情報が時間情報を含むときの自動起動装置の一連の動作について説明する。なお、自動起動装置の一連の動作は、図４に示すフローチャートと基本的に同じである。以下、異なる点について説明する。
【００４３】
（ＨＩＳオーダー発行：ステップＳ１）
通常業務での始業時（ＲＩＳ端末IVの起動時）、ＨＩＳ端末から受信した当日オーダー、または、前日までに受信した予約オーダーがＲＩＳ端末IVに存在する。
【００４４】
ＲＩＳオーダー受信（ステップＳ２）、撮影室情報の取得（ステップＳ３）、起動管理情報取得（ステップＳ４）、起動管理情報の有無（ステップＳ５）、パケット送信（ステップＳ６）は同様である。
【００４５】
以上により、予約患者が撮影室Ｉに到着する頃には、撮影装置Ｉでの撮影が可能となる。
【００４６】
＜第２実施形態＞
次に、自動起動装置の第２実施形態について図５を参照して説明する。
なお、第２実施形態において、第１実施形態と同じ構成については同一番号を付してその説明を省略し、異なる構成について主に説明する。
【００４７】
第１実施形態に係る自動起動装置（記憶部５０、管理手段６０）は、ＲＩＳ２０に設けられた。これに対し、第２実施形態では、自動起動装置は、各装置に設けられる。なお、自動起動装置は、ネットワークに接続され、ネットワークを介してオーダー情報を受信可能に構成される。
【００４８】
（記憶部５０）
記憶部５０について図５を参照して説明する。図５は、撮影装置Ｉについて、オーダー情報の種類と自己との対応関係を表すテーブルの図である。
【００４９】
記憶部５０は、オーダー情報（検査種別、検査部位）の種類と自己との対応関係を予め記憶する。図５に、対応関係が有ることを“○”で示し、対応関係が無いことを“−”で示す。
【００５０】
（電源制御部７０）
電源制御部７０は、ネットワークを介してオーダー情報を受けたとき、図５に示すテーブルを参照して、そのオーダー情報と自己との対応関係の有無を判断する。対応関係が有ると判断したとき、自己の装置の電源をオンする。
【００５１】
なお、記憶部５０は、図２に示すテーブルと同じであってもよい。すなわち、電源制御部７０は、オーダー情報（検査種別、検査部位）の種類に対応する装置の識別情報の中に、自己の装置の識別情報があると判断したとき、電源をオンするように制御する。
【００５２】
＜第３実施形態＞
次に、医用情報処理装置の実施形態について説明する。
なお、医用情報処理装置の実施形態において、第１実施形態と同じ構成については同一番号を付してその説明を省略し、異なる構成について主に説明する。
【００５３】
第１実施形態では、管理手段６０がオーダー情報を受けたとき、識別情報を含む制御情報を作成し、作成した制御情報をネットワークに送信し、各装置の電源制御部７０が制御情報に含まれた識別情報を読み取り、識別情報が自己の装置のとき、電源をオンするように制御するものであった。
【００５４】
これに対し、医用情報処理装置は、オーダーの種類と装置との対応関係を予め記憶する記憶部５０を有し、オーダー情報を受けたとき、対応関係を参照して、オーダー情報の種類に応じた装置を求め、求めた装置にネットワークを介して起動用の制御信号を送信するように構成される。なお、装置に設けられた電源制御部７０は、起動用の制御信号を受けると、電源をオンするように制御する。
【００５５】
本発明のいくつかの実施形態を説明したが、これら実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１０  ＨＩＳ
２０  ＲＩＳ
３０  コンピュータ端末
３１  ＲＩＳ端末
３２  検像端末
３３  ビューア
３４  ワークステーション
４０  撮影装置
５０  記憶部
６０  管理手段
７０  電源制御部
８０  環境制御部
【図１】
2015156069.tif 000003
【図２】
2015156069.tif 000004
【図３】
2015156069.tif 000005
【図４】
2015156069.tif 000006
【図５】
2015156069.tif 000007